(57)【要約】「ペイパービュー」システム（５）において、当該「ペイパービュー」システム（５）のユーザの再生装置（１，２，３）は、有料フィルムの符号化再生情報項目（ＣＷＩ）の再生の前に、許可装置（４）による再生許可を記録担体（１３，１４）から得る。この再生許可を付与するために、許可装置（４）は、ユーザに再生料金を請求する。なかでも、再生装置（１，２，３）によって再生される記録担体（１３，１４）のコピーを作製することに寄与した記録装置（１，２）を識別するレコーダ識別情報項目（ＲＫＷＩ）が、記録担体（１３，１４）に記憶される。再生許可を付与する間に、ボーナス情報評価手段（２１，２２）は、再生装置（１，２，３）によってボーナス情報評価手段（２１，２２）に転送されるレコーダ識別情報項目（ＲＫＷＩ）を記憶する。請求の時点で、ボーナス情報評価手段（２１，２２）は、レコーダ識別情報項目（ＲＫＷＩ）によって識別される記録装置（１，２）のユーザのボーナス情報項目（ＢＩ）を転送して、これらのユーザに報酬を付与する。
2004519907.tif 000002
【特許請求の範囲】
【請求項１】
記録装置のユーザのボーナス情報項目を決定するためのボーナス決定方法において、
− 前記記録装置を利用して、記録担体に、符号化再生情報項目を記録し、前記符号化再生情報項目の再生許可を付与する権限を有する許可装置を識別するリンク情報項目を記録し、前記記録装置を識別する少なくとも１つのレコーダ識別情報項目を記録するステップと、
− 再生料金のペイパービュー請求を許可するために、前記記録担体から又は前記記録担体のコピーから再生装置を利用して再生される前記符号化再生情報項目の再生許可を、再生された前記リンク情報項目によって識別される前記許可装置から取得するステップと、
− 前記記録担体から又は前記記録担体の前記コピーから再生された前記少なくとも１つのレコーダ識別情報項目を、再生された前記リンク情報項目によって識別される前記許可装置に転送するステップと、
− 支払い請求期間の間に再生装置から前記許可装置へ転送されると共に前記記録装置を識別するレコーダ識別情報項目の数から前記記録装置の前記ユーザの前記ボーナス情報項目を決定するステップと、
を処理する方法。
【請求項２】
請求項１に記載のボーナス決定方法において、前記再生許可が取得されるときに前記再生装置から前記許可装置へ転送されるレコーダ識別情報項目は、前記記録装置の前記ユーザの前記ボーナス情報項目を決定する際に、前記許可装置が実際にこの再生装置に対して前記再生許可を与えたときにのみ評価される方法。
【請求項３】
請求項１に記載のボーナス決定方法において、前記リンク情報項目は前記許可装置のインターネットアドレスを表し、前記許可装置からの前記再生許可の前記取得及び前記レコーダ識別情報項目の前記許可装置への前記転送の両方が、インターネットのデータラインを介して実行される方法。
【請求項４】
請求項１に記載のボーナス決定方法において、前記許可装置は、前記ユーザに前記再生料金を請求するためのユーザデータを、前記ユーザの記録装置及び／又は再生装置を識別する少なくとも１つのレコーダ識別情報項目と共に記憶する方法。
【請求項５】
記録担体に記録された符号化再生情報項目を再生するための再生許可を得るための再生装置において、
− 前記記録担体から、前記符号化再生情報項目を再生し、前記符号化再生情報項目の前記再生許可を付与する権限を有する許可装置を識別するリンク情報項目を再生し、前記符号化再生情報項目を前記記録担体に記録するのに利用された記録装置を識別する少なくとも１つのレコーダ識別情報項目を再生するための再生手段を有し、
− 前記記録担体から再生される前記再生情報項目の前記再生許可を得るために、前記記録担体から再生される前記リンク情報項目によって識別される、前記許可装置との通信リンクを確立するための通信手段を有し、前記通信手段は、前記記録担体から再生された前記少なくとも１つのレコーダ識別情報項目を前記許可装置に転送するように設計された、
再生装置。
【請求項６】
請求項５に記載の再生装置において、前記通信手段は、前記許可装置が実際に前記再生許可も付与したときにのみ、前記少なくとも１つの再生されたレコーダ識別情報項目を前記許可装置へ転送する再生装置。
【請求項７】
請求項５に記載の再生装置において、前記通信手段は、インターネットアドレスを表す前記リンク情報項目によって、インターネットを介した前記許可装置との前記通信リンクを確立するように設計されており、前記許可装置からの前記再生許可の前記取得及び前記レコーダ識別情報項目の前記許可装置への前記転送は、前記インターネットのデータラインを介して実行される再生装置。
【請求項８】
請求項５に記載の再生装置において、前記再生手段は、前記再生装置によって再生される前記記録担体の前記コピーを作製することに寄与した全ての記録装置を識別する、前記記録担体に記録される全てのレコーダ識別情報項目を再生するように設計され、前記通信手段は、前記記録担体から再生される全ての前記レコーダ識別情報項目を前記許可装置へ転送するように設計される再生装置。
【請求項９】
請求項５に記載の再生装置において、前記符号化再生情報項目を前記記録担体へ記録するように設計された記録手段が設けられ、前記リンク情報項目及び前記レコーダ識別情報項目が前記再生装置を識別する再生装置。
【請求項１０】
再生装置を利用して符号化再生情報項目を再生するための再生許可を付与し、記録装置のユーザのボーナス情報項目を決定するための許可装置において、
− 前記再生装置と前記記録担体から再生されるよう前記再生装置によって提供される符号化再生情報項目とを識別すると共にレコーダ識別情報項目を含む再生許可照会情報項目を受信するための通信手段であって、前記レコーダ識別情報項目は再生のために提供された前記符号化再生情報項目を前記記録担体に記録するのに利用された前記記録装置を識別する、通信手段を有し、
− 再生料金の成功したペイパービュー請求が前記再生装置の前記ユーザに対して保証されているかどうか確認し、肯定的なチェックの結果の場合前記再生情報項目を再生することに対して前記再生料金を請求し、前記再生装置に再生許可情報項目の許可を出力するための、許可手段を有し、
− 支払い請求期間の間に再生装置から前記許可装置へ転送されると共に前記記録装置を識別するレコーダ識別情報項目の数から、前記記録装置の前記ユーザの前記ボーナス情報項目を決定するためのボーナス情報決定手段を有する、
許可装置。
【請求項１１】
請求項１０に記載の許可装置において、前記照会情報項目に含まれるレコーダ識別情報項目は、前記記録装置の前記ユーザの前記ボーナス情報項目を決定する際に、前記許可装置が実際にこの再生装置に対して前記再生許可を与えたときにのみ評価される許可装置。
【請求項１２】
請求項１０に記載の許可装置において、ユーザデータと前記ユーザに前記再生料金を請求するためのユーザデータを識別する少なくとも１つのレコーダ識別情報項目とを共に記憶するためにアカウントメモリが設計され、前記少なくとも１つのレコーダ識別情報項目は、前記ユーザの少なくとも１つの記録装置及び／又は再生装置を識別する許可装置。
【請求項１３】
請求項１０に記載の許可装置において、インターネットに接続されるコンピュータサーバによって形成される許可装置。
【発明の詳細な説明】
【０００１】
【発明の属する技術分野】
本発明は、いわゆるペイパービューシステムに関し、ペイパービューシステムにおいては、当該ペイパービューシステムのユーザの再生装置は、記録担体からの符号化された再生情報項目（符号化再生情報項目）の再生の前に許可装置から再生許可を得て、前記ユーザは例えば有料フィルムの再生に対して再生料金を払わなければならない。
【０００２】
【従来の技術】
国際特許出願公開第９９／０３２７７号の文書は、許可装置と、セットトップボックスと、ＤＶＤユニットによって形成される再生装置とを有するこのようなペイパービューシステムを開示する。ペイパービューシステムのユーザは、有料フィルムが符号化再生情報として記憶されたＤＶＤディスクをＤＶＤユニットに挿入することができる。
【０００３】
ＤＶＤユニットのユーザがフィルムを再生することを望む場合、ペイパービューシステムにおいて一般的なように、該ユーザはフィルムの再生ごとに再生料金を払わなければならない。符号化再生情報に加えて、このＤＶＤディスクには許可装置の通信アドレス（インターネットアドレス、電話番号等）がリンク情報として記憶されており、該許可装置は有料フィルムを再生するための再生許可を与える権限を有する。
【０００４】
ユーザがＤＶＤユニットの再生動作モードを稼動させると、ＤＶＤユニットはＤＶＤディスクから許可装置の通信アドレスを読み出して、セットトップボックスにこれを出力する。そこで、可能ならば、セットトップボックスは許可装置から該有料フィルムの再生許可を得る。ＤＶＤユニットのユーザが、許可装置に関する有効なアカウントを有するか、又は、セットトップボックスにプリペイドクレジットを有するメンバーシップカードを挿入すると、有料フィルムの再生許可が得られ、符号化再生情報項目を復号化するためのキー情報項目がセットトップボックスへ転送される。セットトップボックスによって復号化された再生情報項目は、フィルムを再生するために、セットトップボックスに接続されたテレビジョンセットに出力される。
【０００５】
現在、既知のペイパービューシステムのオペレータはより多くの受信を保証することができるようになっており、有料フィルムはより多く再生されている。この意味で、ペイパービューシステムのオペレータは、該システムの特定のユーザに数量リベートを与えることができる。例えば、ユーザが１ヶ月の支払い請求期間の間に特定数の有料フィルムを再生し且つその代金を支払ったときに、ユーザアカウントにある量の金が振り込まれるという方式により、数量リベートが前記システムのユーザに与えられてもよい。
【０００６】
しかし、既知のペイパービューシステムにおいては、システムのユーザが知人又は友人をペイパービューシステムの新しいユーザとして勧誘して有料フィルムの再生の回数を増加させることに対する報奨がないということが、不利であると立証されている。
【０００７】
【発明が解決しようとする課題】
本発明は、最初の段落で特定された一般的な種類のペイパービューシステムに基づくペイパービューシステムであって、該システムの各ユーザが報奨によって自発的にペイパービューシステムに新しいユーザを勧誘するようなシステムを作製することを目的とする。
【０００８】
【課題を解決するための手段】
上記で特定された目的を達成するために、このようなペイパービューシステムにおいて、以下で特定されることを特徴とするボーナス決定方法が処理される。
【０００９】
記録装置のユーザのボーナス情報項目を決定するためのボーナス決定方法において、
− 前記記録装置を利用して、記録担体に、符号化再生情報項目を記録し、前記符号化再生情報項目の再生許可を付与する権限を有する許可装置を識別するリンク情報項目を記録し、前記記録装置を識別する少なくとも１つのレコーダ識別情報項目を記録するステップと、
− 再生料金のペイパービュー請求を許可するために、前記記録担体から又は前記記録担体のコピーから再生装置を利用して再生される前記符号化再生情報項目の再生許可を、再生された前記リンク情報項目によって識別される前記許可装置から取得するステップと、
− 前記記録担体から又は前記記録担体の前記コピーから再生された前記少なくとも１つのレコーダ識別情報項目を、再生された前記リンク情報項目によって識別される前記許可装置に転送するステップと、
− 支払い請求期間の間に再生装置から前記許可装置へ転送されると共に前記記録装置を識別するレコーダ識別情報項目の数から前記記録装置の前記ユーザの前記ボーナス情報項目を決定するステップと、
を処理する方法である。
【００１０】
上記で特定された目的を達成するために、このようなペイパービューシステムの再生装置において、本発明による再生装置は以下に特定されることを特徴とするように進歩的な特徴が与えられる。
【００１１】
記録担体に記録された符号化再生情報項目を再生するための再生許可を得るための再生装置であって、
− 前記記録担体から、前記符号化再生情報項目を再生し、前記符号化再生情報項目の前記再生許可を付与する権限を有する許可装置を識別するリンク情報項目を再生し、前記符号化再生情報項目を前記記録担体に記録するのに利用された記録装置を識別する少なくとも１つのレコーダ識別情報項目を再生するための再生手段を有し、
− 前記記録担体から再生される前記再生情報項目の前記再生許可を得るために、前記記録担体から再生される前記リンク情報項目によって識別される、前記許可装置との通信リンクを確立するための通信手段を有し、前記通信手段は、前記記録担体から再生された前記少なくとも１つのレコーダ識別情報項目を前記許可装置に転送するように設計された、
再生装置である。
【００１２】
上記で特定された目的を達成するために、このようなペイパービューシステムの許可装置において、本発明による許可装置は以下に特定されることを特徴とするように進歩的な特徴が与えられる。
【００１３】
再生装置を利用して符号化再生情報項目を再生するための再生許可を付与し、記録装置のユーザのボーナス情報項目を決定するための許可装置において、
− 前記再生装置と前記記録担体から再生されるよう前記再生装置によって提供される符号化再生情報項目とを識別すると共にレコーダ識別情報項目を含む再生許可照会情報項目を受信するための通信手段であって、前記レコーダ識別情報項目は再生のために提供された前記符号化再生情報項目を前記記録担体に記録するのに利用された前記記録装置を識別する、通信手段を有し、
− 再生料金の成功したペイパービュー請求が前記再生装置の前記ユーザに対して保証されているかどうか確認し、肯定的なチェックの結果の場合前記再生情報項目を再生することに対して前記再生料金を請求し、前記再生装置に再生許可情報項目の許可を出力するための、許可手段を有し、
− 支払い請求期間の間に再生装置から前記許可装置へ転送されると共に前記記録装置を識別するレコーダ識別情報項目の数から、前記記録装置の前記ユーザの前記ボーナス情報項目を決定するボーナス情報決定手段と、
を有する許可装置である。
【００１４】
これは、ペイパービューシステムのユーザが該ユーザの記録装置を利用して該ユーザが興味を持っている有料フィルムを記録して、それを友人又は知人に利用可能にするという利点を与える。本発明によれば、記録担体に記録された、前記ユーザの記録装置を識別するレコーダ識別情報項目は、新しいユーザがこの有料フィルムのための再生許可を得たとき、新しいユーザの再生装置から許可装置に転送される。許可装置は、例えば再生装置から１ヶ月内に受信された、前記ユーザの記録装置を識別するレコーダ識別情報項目の数から、記録装置のユーザのボーナス情報項目を決定する。
【００１５】
本発明によるボーナス決定方法は、ペイパービューシステムにおいてより多くの売上を得るための有益な方法を提供する。本発明による再生装置は、前記決定のために必要なレコーダ識別情報項目を前記許可装置に自動的に転送し、こうして、ボーナス情報項目の単純な決定及びボーナス情報項目の記録装置のユーザに対する報酬への単純な変換を可能にする。本発明による再生装置を利用して、第１に有料フィルムのための再生許可が付与され、第２にボーナス情報項目が計算される。これは必要とされるわけではないが有利である。
【００１６】
請求項２、請求項６及び請求項１１の手段によると、記録装置のユーザは、再生装置のユーザが実際に有料フィルムの再生の代金を払ったときにのみ、許可装置を通じてボーナスを享受することができるという利点が達成される。これにより、ボーナスシステムの濫用が効果的に防止される。
【００１７】
請求項３、請求項７及び請求項１３の手段によると、インターネットのデータラインを介したこのような照会が、特に経済的で単純な手段で実行されることができるという利点が達成される。
【００１８】
請求項４及び請求項１２の手段によると、許可装置が、システムのユーザを識別するユーザデータを、ユーザの記録装置及び／又は再生装置を識別するレコーダ識別情報項目と論理的に組み合わせるという利点が達成される。従って、複数のユニット（例えばＤＶＨＳユニット及びコンピュータという２つのＤＶＤユニット）が、ペイパービューシステムの１人のユーザに対して有利に関与することができる。
【００１９】
請求項８の手段によれば、ボーナス情報項目が雪だるま原理に従って決定されるという利点が達成される。第１のユーザにより第１の記録装置によって第１の記録担体が第２の記録担体へコピーされ、この第２の記録担体が第２のユーザに渡されて、第２の記録担体から第２の記録装置によって第３の記録担体へコピーされたとき、第１の及び第２の記録装置のレコーダ識別情報項目が第３の記録担体に記憶される。ここでこの第３の記録担体がペイパービューシステムの他のユーザの再生装置によって再生されると、第１の及び第２の記録装置の第１の及び第２のレコーダ識別情報項目が許可装置へ転送されて、これらは第１の及び第２の記録装置のユーザのボーナス情報項目を決定するときに考慮される。
【００２０】
請求項９の手段によると、再生装置が、有料フィルムを記録して前記記録担体のコピーを提供することにも適するという利点が達成される。
【００２１】
本発明は図に示された実施例に基づいて説明されるが、本発明はこれらに制限されるものではない。
【００２２】
【発明の実施の形態】
図１は第１のＤＶＤレコーダ１、第２のＤＶＤレコーダ２、ＤＶＤプレーヤ３及びサーバ４を示し、その全てはインターネットＮＥＴに接続され、ペイパービューシステム５と呼ばれるものを形成する。ペイパービューシステム５において、ＤＶＤユニット１，２及び３のユーザは、符号化再生情報ＣＷＩとしてＤＶＤディスクに記憶される有料フィルムの再生ごとの再生料金を払わなければならない。再生料金は、サーバ４のユーザアカウントと呼ばれるものを介して請求され、前記サーバ４は許可装置を形成するものであり、前記サーバのオペレータはフィルムの著作権者によって再生許可を付与する権限を与えられている。
【００２３】
第１のＤＶＤレコーダ１はＤＶＤ再生段６、ＤＶＤ記録段７及びデータ処理手段８を含み、これらは合わさって、ＤＶＤディスクに記録データＡＤを記録するための、そして、記録された記録データＡＤをＤＶＤディスクから再生データＷＤとして再生するための、記録及び再生手段を形成する。有料フィルムの符号化再生情報項目ＣＷＩは再生データＷＤに含まれ、前記符号化再生情報項目ＣＷＩは、オーディオ情報、ビデオ情報及びフィルムに関する追加の情報を含んでいてもよい。再生データＷＤには、更に、サーバ４のインターネットアドレスにより形成されるリンク情報項目ＬＩが含まれ、該リンク情報ＬＩは、このサーバ４を再生データＷＤによって表されるフィルムの再生許可を与える権限を有する許可装置として識別する。
【００２４】
再生された再生データＷＤには、記録装置を識別する少なくとも１つのレコーダ識別情報項目ＲＫＩが含まれる。レコーダ識別情報項目ＲＫＩは、記録されたレコーダ識別情報項目ＲＫＩの加工を防止するために、記録された有料フィルムのカラー信号のノイズ信号にいわゆるウォーターマークとして含まれる。
【００２５】
有料フィルムは、このレコーダ識別情報項目ＲＫＩによって識別される記録装置を利用してＤＶＤディスクに記録された。ＤＶＤユニット１、２または３によって再生されるＤＶＤディスクに、更に他のレコーダ識別情報項目ＲＫＩが記録されている場合、これらのレコーダ識別情報項目ＲＫＩにより識別される記録装置は、一連のコピーのうちで、ＤＶＤユニット１、２または３によって再生されたＤＶＤディスクを最終的にコピーするのに用いられたものである。これは、例を用いて以下で更に詳細に検討される。
【００２６】
第１のＤＶＤレコーダ１は、このＤＶＤレコーダ１を識別する第１のレコーダ識別情報項目ＲＫＩ１が記憶されるレコーダ識別メモリ９を含む。第２のＤＶＤレコーダ２は、詳細に示された第１のＤＶＤレコーダ１と同じ設計を有し、唯一の違いは、第２のＤＶＤレコーダ２のレコーダ識別メモリには第２のＤＶＤレコーダ２を識別する第２のレコーダ識別情報項目が記憶されているということである。第１のＤＶＤレコーダ１と比較すると、ＤＶＤプレーヤ３にはＤＶＤ記録段は設けられておらず、レコーダ識別メモリには第３のレコーダ識別情報項目ＲＫＩ３が記憶される。レコーダ識別情報項目ＲＫＩ１、ＲＫＩ２及びＲＫＩ３は、例えば、ＤＶＤユニット１、２及び３の製造の際にレコーダ識別メモリに記憶された製造者シリアル番号によって形成されることができる。
【００２７】
第１のＤＶＤレコーダ１はチューナ１０を更に含み、ＤＶＤレコーダ１に接続されたアンテナ１１からのアンテナ信号ＡＳを、該チューナ１０に出力することが可能である。また、とりわけ、複数のテレビジョン会社（例えばＰｒｅｍｉｅｒｅ）から、暗号化された形態で送信されたアンテナ信号ＡＳ中に、有料フィルムの符号化されたテレビジョン情報項目ＣＦＩを受信することが可能である。また、受信可能な符号化テレビジョン情報項目ＣＦＩには、再生許可を付与する権限が与えられた許可装置をそれぞれ識別する対応したリンク情報項目ＬＩが含まれる。
【００２８】
第１のＤＶＤレコーダ１はキーボード１２を含み、第１のＤＶＤレコーダ１のユーザはこれを利用して第１のＤＶＤレコーダ１を制御するか又は入力情報項目を入力することができる。ユーザが押すキーに対応するキー情報項目ＴＩは、同様に（なかでも）チューナ１０にキーボード１２によって出力される。ユーザは、キーボード１２のチャンネルアップキー及びチャンネルダウンキーを作動させることによって、有料フィルムのアンテナ信号ＡＳに含まれる符号化テレビジョン情報項目ＣＦＩの１つを選択することができ、次にこの符号化テレビジョン情報項目ＣＦＩはデータ処理手段８に出力される。
【００２９】
第１のＤＶＤレコーダ１のユーザが第１のＤＶＤレコーダ１の記録動作モードを稼動させると、データ処理手段８は、受信された符号化テレビジョン情報項目ＣＦＩに含まれる符号化再生情報項目ＣＷＩ及びリンク情報項目ＬＩを処理して、レコーダ識別メモリ９から読出された第１のレコーダ識別情報項目ＲＫＩ１と共に、これらを記録データＡＤに挿入する。その結果、これらの記録データＡＤはＤＶＤ記録段７に含まれるＤＶＤディスク１３に記録される。
【００３０】
これによりテレビジョン送信器の符号化再生情報項目ＣＷＩはＤＶＤディスク１３に記録される。ＤＶＤレコーダ１のユーザは、この時点では前記テレビジョン送信器から再生許可を得ていない、つまり、前記テレビジョン送信器にメンバーシップ代金を払っていない。有料フィルムの再生料金は、ＤＶＤレコーダ１のユーザが記録された有料フィルムを後に再生する時まで支払わなくてよい。このようなシステムはまた、例えば、国際特許出願公開第９９／０３２７７号においても開示されており、この開示は、この文書の開示中の参照により含まれるものとする。
【００３１】
第１のＤＶＤレコーダ１のユーザがキーボード１２のコピーキーを作動させることによって第１のＤＶＤレコーダ１のコピー動作モードを稼動させると、データ処理手段８は、制御情報項目ＳＩを用いてＤＶＤ再生段６の再生動作モード及びＤＶＤ記録段７の記録動作モードを稼動させる。ＤＶＤディスク１４からＤＶＤ再生段６によって再生される再生データＷＤに含まれる情報項目（符号化再生情報項目ＣＷＩ、リンク情報項目ＬＩ及び再生されたレコーダ識別情報項目ＲＫＷＩ）は、データ処理手段８によって、ＤＶＤ記録段７を利用してＤＶＤディスク１３に記録されるべき記録データＡＤに、第１のレコーダ識別情報項目ＲＫＩ１と共に挿入される。
【００３２】
これにより、ＤＶＤディスク１３に記憶された有料フィルムのコピーを作製することに寄与した各ＤＶＤレコーダのレコーダ識別情報項目ＲＫＩがＤＶＤディスク１３に記憶されることが有利に達成される。従って、有料フィルムを最初に記録するのに利用されたＤＶＤレコーダを、そして、最終的にＤＶＤディスク１３に記録された有料フィルムのコピーに至った一連のコピーを作製したＤＶＤレコーダを、追跡することが可能である。２０００年９月５日発行の文書「Ｄｉｇｉｔａｌ  ｗａｔｅｒｍａｒｋｉｎｇ  ｆｏｒ  ＤＶＤ  ｖｉｄｅｏ  ｃｏｐｙ  ｐｒｏｔｅｃｔｉｏｎ」（ＩＥＥＥ  Ｓｉｇｎａｌ  Ｐｒｏｃｅｓｓｉｎｇ  Ｍａｇａｚｉｎｅ，Ｖｏｌｕｍｅ：  １７）中でウォーターマーキングとして説明されたこの方法は、オリジナルとして支払いがなされたＤＶＤディスクの違法な海賊版コピーを作製した人物をつきとめることを可能にする。
【００３３】
本発明によれば、この既知の追跡可能性は、違法な海賊版コピーの作成に対する処罰のためにでなく、記録担体のコピーを作製することによってペイパービューシステム５のより多い売上に寄与したユーザのボーナス情報項目を決定するために評価され、これは以下で更に詳細に検討される。
【００３４】
第１のＤＶＤレコーダ１の１つの再生動作モードにおいて、データ処理手段８は、再生された再生データＷＤに含まれた符号化再生情報項目ＣＷＩをデコーダ段１５に出力し、第１のＤＶＤレコーダ１の通信手段１６に、再生された再生データＷＤに含まれるリンク情報項目ＬＩを出力する。データ処理手段８は、再生データＷＤに含まれた再生情報項目ＣＷＩが符号化又は暗号化されていると検出するとすぐに、ＤＶＤ再生段６を利用して再生データＷＤの再生を中断して照会情報項目ＡＦＩを生成し、これを通信手段１６に出力する。これによりこの照会情報項目ＡＦＩは、第１のＤＶＤレコーダ１に記憶される第１のレコーダ識別情報項目ＲＫＩ１と、ＤＶＤディスク１４から再生されるべき有料フィルムに関する情報項目とを含む。
【００３５】
通信手段１６は、インターネットＮＥＴに接続されるモデムを含む。データ処理手段８がリンク情報項目ＬＩ及び照会情報項目ＡＦＩを受信すると、モデムは、リンク情報項目ＬＩにより識別されるサーバ４とのデータリンクを確立するように、そして、サーバ４に照会情報項目ＡＦＩを送信するように、設計される。
【００３６】
サーバ４は、通信手段１７並びにアカウント段１８及びアカウントメモリ１９によって形成されるアカウント手段を含む。通信手段１７のモデムは、インターネットＮＥＴに接続されて、ＤＶＤユニット１，２及び３から照会情報項目ＡＦＩを受信するように設計される。通信手段１７によって受信される照会情報項目ＡＦＩは、アカウント段１８に出力される。
【００３７】
そこで、アカウント段１８は、ユーザの第１のＤＶＤレコーダ１の照会情報項目ＡＦＩに含まれる第１のレコーダ識別情報項目ＲＫＩ１によって識別されるユーザの有効なアカウントが、サーバ４で設立されたかどうか確認する。ユーザの個人データ及びアカウント番号又はクレジットカード番号がユーザに関して既知であり、これらが適当であって再生料金を請求するのに一度既に正常に用いられたことがあるときは、有効なアカウント又はユーザへの適切な支払い請求の選択肢があることになる。ユーザのこのようなデータが、関連したレコーダ識別情報項目ＲＫＩと共に、サーバ４のアカウントメモリ１９にまだ記憶されていないときには、申込手順が処理される。
【００３８】
申込手順の処理の間、アカウント段１８は通信手段１７及びインターネットＮＥＴを介して通信手段１６に申込み情報項目ＡＭＩを送信する。テレビジョンセット２０は第１のＤＶＤレコーダ１に接続されており、デコーダ段１５によって復号化されるフィルムの再生情報項目ＷＩ及び通信手段１６からの申込み情報項目ＡＭＩを前記テレビジョンセット２０に出力することが可能である。テレビジョンセット２０を利用して表される申込み情報項目ＡＭＩは、ペイパービューシステム５のユーザがサーバ４に登録するための申込みフォームを示す。ユーザは、キーボード１２により申込みフォームに記入することができる。
【００３９】
第１のＤＶＤレコーダ１のユーザが申込みフォームに記入すると、ユーザにより入力されたユーザデータを含むアカウント情報項目ＡＣＩは、通信手段１６によって、インターネットＮＥＴ及び通信手段１７を介してアカウント段１８に出力される。そこでアカウント段１８は、アカウント情報項目ＡＣＩにおいて受信されるユーザデータの信頼性を確認し、アカウント段１８はクレジットカード会社（例えばＶＩＳＡ）のインターネットＮＥＴに接続されるサーバと交信して、ユーザデータを確認する。ユーザデータが信頼できる場合、アカウント段１８は受信されたユーザデータをアカウントメモリ段１９に記憶し、この結果、新規な有効なアカウントが第１のＤＶＤレコーダ１のユーザについて設定され、申込み手順は終了される。
【００４０】
アカウント段１８が、照会情報項目ＡＦＩを受信したときに、第１のＤＶＤレコーダ１の第１のレコーダ識別情報項目ＲＫＩ１によって識別されるユーザが有効なアカウントを有すると決定すると、該アカウント段１８は、照会情報項目ＡＦＩにおいて特定された有料フィルムの再生に対する再生料金をユーザのアカウントの借方に記入し、再生許可情報項目ＷＢＩを第１のＤＶＤレコーダ１の通信手段１６へ転送する。再生許可情報項目ＷＢＩは、再生された符号化再生情報項目ＣＷＩをデコーダ段１５によって復号化するために必要なキー情報項目ＫＩを含む。
【００４１】
第１のＤＶＤレコーダ１において再生動作モードが稼動させられて、照会情報項目ＡＦＩが出力された後に、通信手段１６が対応する再生許可情報項目ＷＢＩをサーバ４から受信すると、通信手段１６は再生情報項目ＰＩをデータ処理手段８に出力し、受信されたキー情報項目ＫＩをデコーダ段１５に出力する。
【００４２】
データ処理手段８は、再生情報項目ＰＩを受信したときにＤＶＤディスク１４からの再生データＷＤの再生の停止を終了するように設計されており、その後、再生された再生データＷＤに含まれる符号化再生情報項目ＣＷＩをデコーダ段１５に連続的に出力する。デコーダ段１５は、受信されたキー情報項目ＫＩを用いて符号化再生情報項目ＣＷＩを復号化するように、また、テレビジョンセット２０に復号化された再生情報項目ＷＩを出力するように、設計されており、この結果、有料フィルムがユーザのために再生される。
【００４３】
ここで、有料フィルムの再生の回数を増加させるボーナスシステムがペイパービューシステム５で更に提供される。本ボーナスシステムによると、ＤＶＤレコーダのユーザは、該ユーザのＤＶＤレコーダを利用してＤＶＤディスクに記録された有料フィルムを、該ユーザがペイパービューシステム５の他の（おそらくは新しい）ユーザに出力し、該他のユーザがフィルムを再生するために再生料金を支払ったときに、ボーナスを受信する。
【００４４】
このため、ＤＶＤレコーダ１は、照会情報項目ＡＦＩに、再生された再生データＷＤに含まれる全ての再生されたレコーダ識別情報項目ＲＫＷＩを加えてサーバ４に転送する。サーバ４は、ボーナス決定段２１とボーナスメモリ２２とによって形成されるボーナス決定手段を含む。
【００４５】
通信手段１７が照会情報項目ＡＦＩを受信すると、該通信手段１７は、受信された照会情報項目ＡＦＩに含まれる再生されたレコーダ識別情報項目ＲＫＷＩをボーナス決定段２１に出力する。アカウント段１８が通信手段１７に再生許可情報項目ＷＢＩを出力し、この結果前記アカウント段が、再生料金がユーザのアカウントの貸方に記入されたと決定すると、前記アカウント段１８は、確認情報項目ＧＩをボーナス決定段２１に出力する。確認情報項目ＧＩが受信されると、ボーナス決定段２１は、今回確認された再生されたレコーダ識別情報項目ＲＫＷＩが一旦受信されたことがあり、従ってボーナスメモリ２２に既に記憶されているかどうかを確認する。この場合、このレコーダ識別情報項目ＲＫＷＩに割り当てられる記憶されていたボーナス数は、値が１増加される。一方、初めて受信されるレコーダ識別情報項目ＲＫＷＩは、ボーナス数１を伴ってボーナスメモリ２２に記憶される。
【００４６】
これは、レコーダ識別情報項目ＲＫＷＩに割当てられた態様でボーナスメモリ２２に記憶されたボーナス数が、レコーダ識別情報ＲＫＷＩによって識別されるＤＶＤレコーダのユーザが有料フィルムのコピーを作製することによって可能にした、有料なフィルムの再生の回数を特定するという利点を与える。ボーナスメモリ２２に記憶されるボーナス数は、ユーザにサポートへの感謝を表すため報酬を渡すためにボーナス決定段２１によって支払い請求期間終了後評価されることができる。彼らユーザは、レコーダ識別情報項目ＲＫＷＩによって識別されて、アカウントメモリ１９において更に詳細に指定されている。この報酬は、次の再生料金のためのリベートによって又はユーザのアカウントに振り込まれる一回限りのクレジット量によって与えられることができる。
【００４７】
再生されたレコーダ識別情報項目ＲＫＷＩに、ＤＶＤディスクを再生しているＤＶＤユニットのレコーダ識別情報項目ＲＫＩも含まれる場合、ユーザ自身のレコーダ識別情報項目ＲＫＩは、照会情報項目ＡＦＩに挿入されず、サーバ４へ転送されない。これは、続けて再生されるユーザ自身の記録は、ＤＶＤレコーダのユーザのためのボーナスにはつながらないという利点を与える。
【００４８】
ここで、ペイパービューシステム５のアプリケーションの例が図１に従って以下で説明される。アプリケーションのこの例によると、第１のＤＶＤレコーダ１のユーザがＰｒｅｍｉｅｒｅテレビジョン送信器から符号化テレビジョン情報項目ＣＦＩとして有料フィルム「Ｖｅｒｔｉｃａｌ  Ｌｉｍｉｔｓ」を受信して、ＤＶＤディスク１３にこれを記録すると仮定される。この過程において、符号化テレビジョン情報項目ＣＦＩに含まれるフィルムの符号化再生情報項目ＣＷＩとサーバ４のインターネットアドレスを識別するリンク情報項目ＬＩとに加えて、第１のレコーダ識別情報項目ＲＫＩ１も、ＤＶＤディスク１３に記録データＡＤとして記録される。
【００４９】
１週間後、第１のＤＶＤレコーダ１のユーザは、フィルム「Ｖｅｒｔｉｃａｌ  Ｌｉｍｉｔｓ」を視聴することを決めて、ＤＶＤレコーダ１の再生動作モードを稼動させる。第１のＤＶＤレコーダ１のユーザがサーバ４で有効なアカウントを有するので、サーバ４は再生料金５ユーロをユーザのアカウントの貸方に記入し、第１のＤＶＤレコーダ１に、再生許可情報項目ＷＢＩによって符号化再生情報項目ＣＷＩを復号化するためのキー情報項目ＫＩを転送する。
【００５０】
ＤＶＤディスク１３から再生される再生データＷＤには、第１のレコーダ識別情報項目ＲＫＩ１のみ（即ちユーザ自身のレコーダ識別情報項目ＲＫＩ１のみ）が含まれるので、この場合、第１のＤＶＤレコーダ１は、照会情報項目ＡＦＩ中で、再生されたレコーダ識別情報項目ＲＫＷＩを転送しない。従って、第１のＤＶＤレコーダ１のユーザに対しては、該ユーザ自身の記録を再生することに対するボーナスは全く決定されない。
【００５１】
このアプリケーションの例に従って、ここで更に次のように仮定する。第１のＤＶＤレコーダ１のユーザがフィルム「Ｖｅｒｔｉｃａｌ  Ｌｉｍｉｔｓ」に非常に熱中しており、該ユーザは、第２のＤＶＤレコーダ２のユーザのためにＤＶＤディスク１３のコピーを作製し、ＤＶＤディスク１３はＤＶＤプレーヤ３のユーザに貸す。ここで、再生料金の支払の後、サーバ４で既に有効なアカウントを有する第２のＤＶＤレコーダ２のユーザ及びサーバ４で新規な有効なアカウントを設立するＤＶＤプレーヤ３のユーザが、彼らのＤＶＤユニット２及び３を用いてフィルム「Ｖｅｒｔｉｃａｌ  Ｌｉｍｉｔｓ」を再生すると、更に仮定される。
【００５２】
有料フィルムのこれらの２回の追加の再生のために、ボーナス決定手段２１は、第１のレコーダ識別情報項目ＲＫＩ１に関連したボーナスメモリに記憶されるボーナス数値を２上げる。１ヵ月後、第１のＤＶＤレコーダ１のユーザは、該ユーザのＤＶＤディスクのコピーのおかげで７回の有料再生を請求することが可能であったので、該ユーザのアカウントに７ユーロが振り込まれたという情報項目を受信する。
【００５３】
従って、ペイパービューシステム５の上記のボーナスシステムは、ペイパービューシステム５のユーザが、知人による他の請求可能な再生をサポートすることにより利益を有するという利点を与える。ＤＶＤディスクの再生の最中に再生された、ＤＶＤディスクに記録された全てのレコーダ識別情報項目ＲＫＷＩが、ボーナス情報項目を決定する際に考慮されるので、ピラミッドシステムに類似した、システムの新しいユーザを勧誘することに対して相当な報奨を制定する、いわゆる雪だるま効果が結果として生じる。
【００５４】
ペイパービューシステムのオペレータは、加えて、ユーザによって有料フィルムがＤＶＤディスクに記録されて、興味を持った顧客に配給されるという利益を有する。従ってオペレータは、再生すると該オペレータのサーバ４により再生料金が請求される有料フィルムを有する大量のＤＶＤディスクのコピーを作製し配布することが省略されることになる。
【００５５】
再生許可が実際に付与されるまで、許可装置へ転送される再生されたレコーダ識別情報項目ＲＫＷＩはボーナス情報項目ＢＩを決定するように評価されないので、システムのオペレータも報酬を得た場合にのみ報酬がユーザに与えられることになる。
【００５６】
ペイパービューシステムのための本発明によるボーナスシステムは、例えば、交換可能な記録担体として磁気テープカセット、ハードディスク又は読取り専用メモリを用いるあらゆる所望の記録及び再生装置を利用して実現されることができることに言及しておく。
【００５７】
符号化テレビジョン信号ＣＦＳがまた、衛星又はケーブルＴＶを介して受信されて、続いて記録されることができることに言及しておく。
【００５８】
記録及び再生装置がまた、電話又は他の通信リンクを介してペイパービューシステムの許可装置と通信することができることに言及しておく。
【００５９】
システムのユーザには、ボーナス情報項目に対して多数の他の報酬を与えられることもできることに言及しておく。従って、例えば、支払い請求期間終了後最も高いボーナス値に到達したユーザには、旅行が与えられてもよい。
【００６０】
ボーナス情報項目がまた、直接的にはペイパービューシステムのユーザでない記録装置のユーザに対して決定されることができることに言及しておく。この場合、このユーザに対する報酬は、該ユーザの電話料金の減少又は無料の電話として付与されてもよい。
【００６１】
ユーザがボーナスシステムを濫用したがっているかどうかは、記録担体に記録されたレコーダ識別情報項目のシーケンスから決めるのが可能であることに言及しておく。例えば、ある記録装置のレコーダ識別情報項目が記録担体に複数回記録され、従って、有料フィルムの再生が複数回評価されるという場合に、ボーナス情報項目を決定するときにこのレコーダ識別情報項目を１回しか評価しないということが理にかなう。
【００６２】
ボーナス情報項目を決定するときに、レコーダ識別情報項目の重み付けも考慮することが可能であることに言及しておく。従って、記録担体の再生に対して多数のレコーダ識別情報項目が受信されるときには、記録担体の再生に対して許可装置によって受信されるレコーダ識別情報項目はより低い重みによって評価されてもよい。
【００６３】
本発明による再生装置は、再生されたレコーダ識別情報項目ＲＫＷＩを照会情報項目ＡＦＩに挿入するのではなく、これらを、再生許可情報項目ＷＢＩを受信した後にのみ許可装置に送信するように設計されてもよいということに言及しておく。この場合、アカウント段からボーナス決定手段への確認情報項目ＧＩの転送は、除去されることができる。
【００６４】
ボーナス決定手段がまた、許可手段とは別のサーバに収容されることができることに言及しておく。
【００６５】
ＤＶＤディスクはＤＶＤ−ＲＡＭ、ＤＶＤ＋ＲＷ又はＤＶＤ−ＲＷ規格に対応することができることに言及しておく。
【００６６】
記録担体が物理的に再生装置に挿入される必要はないことに言及しておく。例えば、ハードディスクレコーダのユーザが該ユーザのハードディスクレコーダのハードディスク上に有料フィルムを符号化再生情報項目ＣＷＩとして記録することが可能であり、この場合、ハードディスクレコーダのレコーダ識別情報項目もまた、本発明に従って記録されることになる。続いて、該ユーザは友人に該ユーザのハードディスク上のこの興味深いフィルムを知らせることができ、この友人はこのときに該ユーザの再生装置のダウンロード再生動作モードを稼動させることができる。再生許可が再生装置によって得られたあとに、フィルムの符号化再生情報項目はハードディスクレコーダのハードディスクから再生される。
【図面の簡単な説明】
【図１】図１は、有料フィルムのＤＶＤディスクに記録される符号化再生情報項目の再生のための再生許可を得るための、３つの再生装置がインターネットを介して許可装置と通信するペイパービューシステムを示す。
【図１】
2004519907.tif 000003
【国際公開パンフレット】
2004519907.tif 000004
2004519907.tif 000005
2004519907.tif 000006
2004519907.tif 000007
2004519907.tif 000008
2004519907.tif 000009
2004519907.tif 000010
2004519907.tif 000011
2004519907.tif 000012
2004519907.tif 000013
2004519907.tif 000014
2004519907.tif 000015
2004519907.tif 000016
2004519907.tif 000017
2004519907.tif 000018
2004519907.tif 000019
2004519907.tif 000020
2004519907.tif 000021
2004519907.tif 000022
2004519907.tif 000023
【国際調査報告】
2004519907.tif 000024
2004519907.tif 000025
2004519907.tif 000026